(57)【特許請求の範囲】
【請求項１】
筐体に設けられた左右の視標呈示窓を介して被検眼に視標を切換え呈示する視標呈示装置において、左右の被検眼にそれぞれ呈示される検査視標が同一面に形成された回転ディスク板であって、視標を被検眼に呈示するために、回転ディスク板の回転中心から半径が異なる同一円周上に左眼用視標及び右眼用視標が配置され、回転ディスク板の回転中心は被検者側から見て回転中心の左側に左眼用視標が、回転中心の右側に右眼用視標がそれぞれ位置するように配置され、同一形状の左眼用視標及び右眼用視標をそれぞれ左眼及び右眼に同時に呈示可能な視標ディスクと、所望の視標を被検眼に呈示するために、該視標ディスクを回転し視標を所期する位置に移動するディスク回転手段と、を備えたことを特徴とする視標呈示装置。
【発明の詳細な説明】
【０００１】
【発明の属する技術分野】
本発明は、視力検査などに使用する視標呈示装置に関する。
【０００２】
【従来技術】
被検眼が覗く双眼の覗き窓を設け、この覗き窓を介して筐体内に配置した呈示視標を観察させることにより、視力等の視機能を検査する視標呈示装置が知られている。従来、この種の装置による視標の呈示は次のような方法で行われていた。
【０００３】
（イ）  回転ディスク板等に描かれた種々の視標の一つを左右光路の中央に配置すると共に、プリズムやミラーを使って左右の覗き窓に１つの視標光束を導くようにして両眼への視標呈示を可能にする。検査距離は光路の途中に配置される凸レンズにより所定の遠用距離にされる。
【０００４】
（ロ）  上記（イ）と同じく視標の一つを左右光路の中央に配置すると共に、左右の覗き窓をカバーする大きな凸レンズを配置することにより、光学的に所定の遠用距離にされた視標を両眼へ呈示可能にする。
【０００５】
（ハ）  右眼用の光路と左眼用の光路を独立させると共に、独立した左右光路毎に視標呈示窓を設け、ここに視標を切替え配置することにより両眼へそれぞれ視標を呈示し、両眼で観察したときには１つに融像させて見える様にする。検査距離は左右光路の途中にそれぞれ配置される凸レンズにより所定の遠用距離にされる。
【０００６】
【発明が解決しようとする課題】
しかしながら、上記のような視標呈示の方法は次のような欠点があった。すなわち、上記（イ）の方法は、１つの視標光束を両眼に導くためのプリズムやミラー等の光学素子を必要とするのでコスト高になる。また、上記（ハ）の方法も大きな凸レンズを必要とするので、同様にコスト高になる。
【０００７】
上記（ロ）の方法は、最小限の光学素子で構成できる反面、左右の視標呈示窓にそれぞれ視標を呈示する構成とする必要がある。この対応としては、２つの回転ディスクで各視標呈示窓に視標を個別に切替え配置できる構成が考えられるが、２枚の回転ディスクをそれぞれ回転すると、視標呈示窓に対する視標の停止位置を左右同じにすることが非常に困難である。視標の停止位置が左右でずれていると、両眼で観察した際の融像がし難くなり、正確な視機能検査を行えなくなる。また、２つの回転ディスクとこれを回転するための２つのモータを用意することは、やはりコスト高になると共に装置が大型化する。
【０００８】
本発明は、上記従来技術に鑑み、右眼用の光路と左眼用の光路を独立させて左右眼にそれぞれ視標を呈示する方式においても、両眼視による融像の精度が良く、また、装置のコストも安価に抑えることができる視標呈示装置を提供することを技術課題とする。
【０００９】
【課題を解決するための手段】
上記課題を解決するために、本発明は以下のような構成を備えることを特徴とする。
【００１０】
【課題を解決するための手段】
（１）  筐体に設けられた左右の視標呈示窓を介して被検眼に視標を切換え呈示する視標呈示装置において、左右の被検眼にそれぞれ呈示される検査視標が同一面に形成された回転ディスク板であって、視標を被検眼に呈示するために、回転ディスク板の回転中心から半径が異なる同一円周上に左眼用視標及び右眼用視標が配置され、回転ディスク板の回転中心は被検者側から見て回転中心の左側に左眼用視標が、回転中心の右側に右眼用視標がそれぞれ位置するように配置され、同一形状の左眼用視標及び右眼用視標をそれぞれ左眼及び右眼に同時に呈示可能な視標ディスクと、所望の視標を被検眼に呈示するために、該視標ディスクを回転し視標を所期する位置に移動するディスク回転手段と、を備えたことを特徴とする。
【００１６】
【発明の実施の形態】
本発明の実施の形態を図面に基づいて説明する。本実施の形態では、視力呈示装置として暗順応検査を行なうための夜間視力検査装置を例に挙げて説明する。
【００１７】
図１は夜間視力検査装置の外観を示した図である。１は装置本体であり、装置本体１の上部には被検者が本体内部に呈示される視標を覗き込むための双眼の検査窓２が設けられており、装置本体１の側面には検者用の操作パネル３、プリンタ８が配置されている。また、装置本体１の下部の前側には、本体内部に呈示された視標に対して被検者がその方向を応答するためのジョイスティック５、視標を判読できたことを応答する応答ボタン４が設けられている。６は自動検査モード時におけるスタートスイッチ、９は音声ガイドの指示が出力されるスピーカである。
【００１８】
図２は装置内部の配置される光学系を側面から見たときの概略図であり、制御系の構成も共に図示している。また、図３は装置内部の光学系を上部から見たときの概略図である。
【００１９】
左右の検査窓２にはそれぞれレンズ１０Ｒ，１０Ｌが配置され、後方の視標窓１５Ｒ，１５Ｌにそれぞれ切替え配置される検査視標が被検眼ＥＲ，ＥＬから見かけ上５ｍの検査距離にされる。左右の光路は中央に仕切り板を持つ内部カバー１１Ｒ，１１Ｌによって区分けされ、被検眼ＥＲ，ＥＬに明順応させる際の視野空間が独立して確保されている。内部カバー１１Ｒ，１１Ｌの内面にはつや消しの白塗装が施されており、明順応時には照明ランプ１２Ｒ，１２Ｌの点灯によって５７００ｃｄ／ｍ2程度の輝度にされる。なお、照明ランプ１２Ｒ，１２Ｌはその照明光が直接被検眼に入射しない位置に置かれている。
【００２０】
視標窓１５Ｒ，１５Ｌに検査視標を切替え配置する視標呈示部２０は、１枚の視標ディスク板２１と、視標ディスク板２１を回転駆動するためのパルスモータ２２と、視標ディスク板２１上の視標を照明する２つの照明ランプ２４Ｒ，２４Ｌからなる。視標ディスク板２１の同一面上には左右眼に同時に呈示するための対（ペア）となる右眼呈示用視標と左眼呈示用視標が複数個形成されており（視標構成とその配置については後述する）、モータ２２の回転により対となる視標が視標窓１５Ｒ，１５Ｌに配置され、各視標は照明ランプ２４Ｒ，２４Ｌによりそれぞれ照明される。通常視力測定時は照明ランプ２４Ｒ，２４Ｌの点灯により１６０ｃｄ／ｍ2程度の輝度で検査視標が呈示され、暗順応時間測定時には照明ランプ２４Ｒ，２４Ｌの光量を落とすことにより０．１〜０．１５ｃｄ／ｍ2程度の薄暗い輝度にされて検査視標が呈示される。パルスモータ２２は左右の呈示光路の間に配置されており、装置がコンパクトになるようにしている。
【００２１】
また、各視標窓１５Ｒ，１５Ｌの左右には、眩光下視力測定時等に点灯させるランプ１４（車両ヘッドランプ相当の輝度を持つ）がそれぞれ配置されている（図４参照）。視標窓１５Ｒに対するランプ１４の配置位置と、視標窓１５Ｌに対するランプ１４の配置位置は同じであり、被検者が本体内部を左右両眼で観察したときには、２つの視標窓１５Ｒ，１５Ｌは融像して１つの視標窓に見えると共に、ランプ１４も融像して左右に１個ずつあるように見える。眩光下視力測定はランプ１４を点灯することにより、夜間の車の運転時に対向車の前照灯などによる眩しさを受けたときの視力の影響を検査する。
【００２２】
図２において、３０は装置全体を制御する制御部であり、各ランプ、パルスモータ２２、スピーカ９に接続された音声ガイド発生部３１、応答ボタン４、ジョイスティック５、操作パネル３等の他、検査プログラムを記憶したメモリ３３が接続されている。
【００２３】
次に、視標ディスク板２１上に形成する視標について、図５を基に説明する。視標ディスク板２１は基体が白板ガラスからなり、透光性を有する。視標ディスク板２１上にはその回転中心Ｏから半径ｒ1の第１円周上に右眼呈示用の種々の視標が並んだ視標列Ａが形成されており、回転中心Ｏから半径ｒ2の第２円周上に左眼呈示用の種々の視標が並んだ視標列Ｂが形成されている。視標列Ａ、Ｂには対となる同一視標が順次並べられており、視力値０．１〜１．０、１．２、１．５の１２段階でそれぞれ左右上下の４方向のランドルト環視標が遮光性を持つクロムコートにて形成されている。また、明順応時に視標窓１５Ｒ，１５Ｌを遮蔽するための遮蔽板１００、２００（内部カバー１１Ｒ、１１Ｌと同様なつや消しの白塗装が施されたもの）が、それぞれ視標列Ａ、Ｂに設けられている。
【００２４】
視標列Ａと視標列Ｂに形成する各視標の位置関係は次のようになっている。すなわち、視標窓１５Ｒ（図５上では点線枠１５Ｒ´で示している）の中心に視標列Ａ上の視標１０１（右方向に切れ目を持つ視力０．１用の視標）が位置したときには、この視標１０１と対となる視標列Ｂ上の同一の視標２０１（右方向に切れ目を持つ視力０．１用の視標）が視標窓１５Ｌ（図５上では点線枠１５Ｌ´で示している）の中心に位置するように形成されている。視標列Ａ，Ｂに順次並べられるその他の視標も、対となる同一視標が同じ位置関係になるように形成されている。
【００２５】
なお、視標窓１５Ｒと１５Ｌとの中心間距離は、レンズ１０Ｒ，１０Ｌを通して視標を見た場合に、標準的な瞳孔間距離を持つ被検者が５ｍ先の目標物を見たときの輻輳時の瞳孔間距離となるように設計上定められている。したがって、視標窓１５Ｒと１５Ｌとの中心間距離に対して、視標列ＡとＢに並ぶ対の同一視標の中心間距離Ｘが等しくなるように、各視標を視標ディスク板２１上に形成するれば良く、これはクロムコートによるエッチングで極めて正確に形成することができる。
【００２６】
このように視標ディスク板２１上に形成された対となる右眼呈示用視標及び左眼呈示用視標は、各視標窓１５Ｒ，１５Ｌに対する位置関係が共に一致するように配置されているため、被検者が本体内部を左右両眼で観察したときには、左右の呈示視標を容易に融像させて見ることができるようになる。
【００２７】
なお、対となる左右の視標は視標ディスク板２１の同一円周上に一列で形成すると共に、各視標窓１５Ｒ，１５Ｌとの配置関係が等しくなるように形成しても良いが、多数種類の視標を並べる場合にはディスク板が大型化して不利となる。これに対して、上記のように異なる円周上に右眼用と左眼用を並べるようにすれば、ディスク板を小型にでき、装置全体もコンパクトにできる。
【００２８】
以上のような構成を備える装置の動作を、図６に示す操作パネル３のスイッチ構成図を使用して説明する。なお、本装置には手動モード、自動モード（音声ガイドに被検者がスイッチ操作することでプログラムに従って検査が進められるモード）、半自動モード（自動モードに対して被検者の口頭による応答内容を検者が入力することによりプログラムに従って検査が進められるモード）の３つの検査モードが用意されており、操作パネル３のモード選択スイッチ４０により何れかを選択することができる。ここでは手動モードによる検査を説明する。
【００２９】
検者はスイッチ４０による手動モードの選択、スイッチ部４１による測定眼の選択を行う。また、スイッチ４２、４３、４４により通常視力測定、暗順応時間測定、眩光下視力測定の測定項目を選択する。
【００３０】
通常視力測定は次のように行う。視力スイッチ４５ａにより呈示する視標の視力値を選び、また、操作パネル３の中央に設けられた４つの視標スイッチ４６ａ〜４６ｄで呈示する視標の方向を選択する。呈示させる視標に対するパルスモータ２２のパルス数は各々の視標に対して事前に設定されており、視標の方向を選択すると、制御部３０はパルスモータ２２が設定されたパルス数の分だけ回転駆動するように制御する。これにより視標ディスク板２１は所定量だけ回転し、視標窓１５Ｒ，１５Ｌに同一視標が呈示される。視標窓１５Ｒ，１５Ｌに対する左右の視標の位置関係は、前述のような視標形成により同一となるので、両眼視では容易に１つに融像して見ることができ、正確に検査が行える。また、視標ディスク板２１の回転中は照明ランプ２４Ｒ，２４Ｌは消灯され、被検眼に視標の移動が見えないようになっている。被検眼に視標の移動を見せないことにより、さらに両眼視での融像が行ない易いようになっている。
【００３１】
選択した視力値は表示器４５ｂに表示され、また、選択した視標の方向に応じて各視標スイッチ４６ａ〜４６ｄの近傍に配置されたランプ３７ａ〜３７ｄが点灯される。検者は被検者に視標の判別について尋ね、被検者の口頭による応答の正誤をランプ３７ａ〜３７ｄの点灯により確認して検査を進める。最後に表示されている視力値が測定結果とされる。
【００３２】
暗順応時間測定は次のように行う。暗順応時間測定用のスイッチ４３を押すと、視標ディスク板２１が回転して遮蔽板１００、２００が視標窓１５Ｒ、１５Ｌに位置する。遮蔽板１００、２００により視野内から視標が見えなくなると照明ランプ１２Ｒ，１２Ｌが点灯されて被検眼が見る左右の視野空間がそれぞれ照明される。同時に制御部３０によって明順応時間の計測が開始され、その時間が表示器４９に表示される。この明順応時には、視標窓１５Ｒ，１５Ｌの左右に配置されたランプ１４が所定の間隔（数秒関）をおいて断続的に点灯する。被検者にはランプ１４の点灯が確認されたら、ジョイスティック５を手前に倒してもらう（これは音声ガイドにて指示されるようにプログラムされている）。ジョイスティック５による応答が無い場合には、制御部３０は音声ガイドにて眼を開けるように注意を促す。応答があれば被検者が明順応時に眼を開けていたことが確認される。
【００３３】
３０秒間の明順応時間が終了すると、照明ランプ１２が消灯されるとともに視標ディスク板２１が回転し、視標窓１５Ｒ，１５Ｌには照明ランプ２４Ｒ，２４Ｌに照明された薄暗い視力値０．２の同一視標が呈示される。このときも被検者は両眼視で容易に１つに融像して見ることができる。また、制御部３０によって視標の呈示開始からの時間がカウントされ、その時間が表示器４９に表示される。被検者には視標の方向が判読できた時点で応答ボタン４を押してもらい、その方向を答えてもらう。応答ボタン４からの信号が入力されると、表示器４９の時間表示が止まり、被検者が答えた方向が正しい場合、視標の呈示開始からの時間が測定値となる。誤りの場合は、スイッチ５０を押して再測定を行う。
【００３４】
眩光下視力測定を行うときはスイッチ４４を押す。このスイッチが押されると視標窓１５Ｒ，１５Ｌの両側のランプ１４が点灯される。検者はこの状態で先の通常視力検査と同じ要領で、呈示する視標の視力値及びその方向を各スイッチで選択して眩光下での視力値を測定する。印刷スイッチ５５を押すと、以上により得られた各測定結果、総合指導内容が印字出力される。
【００３５】
以上のように、同じ視標ディスク板上に右眼用と左眼用の視標列を形成し、回転駆動用のモータを１つにしておけば、左右に呈示される視標の位置ずれが起こり難く両眼視にて融像し易くなるが、２枚のディスク板を使用してそれぞれモータで回転する場合でも以下のようにすれば融像し易くすることができる。
【００３６】
図７（ａ）のように右眼用の視標ディスク板６０Ｒ、左眼用の視標ディスク板６０Ｌ（右眼用と同一のため図示は略す）には、視標６１を中心とした円形の透光部６２（視標を囲む背景部）を形成しておく。また、透光部６２の外側周辺領域は内部カバー１１Ｒ、１１Ｌの内壁の色と同色の塗装を施しておく。このようにすることで、図７（ｂ）のように視標窓１５Ｒ，１５Ｌ（開口を多少大き目にしておく）に視標６１を配置したときには視標窓との境界が判別できないようになるため、視標窓１５Ｒ，１５Ｌに対して左右の視標位置に多少ずれが生じたとしても、透光部６２の形成により問題なく１つの同じ像として融像することができる。もちろん、これは１枚の視標ディスク板に左右用の視標を形成する場合であっても良い。
【００３７】
【発明の効果】
以上説明したように、本発明によれば、右眼用の光路と左眼用の光路を独立させて左右眼にそれぞれ視標を呈示する方式においても、両眼視による融像をし易くできる。これにより検査を正確に行うことができる。
また、１枚のディスクで異なる円周上に右眼用視標と左眼用視標を形成するようにしたので、視標の数が多い場合であってもディスク板の大型化させずにすみ、装置をコンパクトにすることができる。
また、光学素子も最小限で良いので安価なコストで装置を構成することができる。
【図面の簡単な説明】
【図１】装置の外観を示す図である。
【図２】光学系と制御系を示す図である。
【図３】装置内部の光学系を上部から見たときの概略図である。
【図４】眩光下視力測定時等に点灯させるランプ１４の様子を示した図である。
【図５】視標ディスク板の詳細を示す図である。
【図６】コントロールパネルの詳細を示す図である。
【図７】視標ディスク板の変容例を示す図である。
【符号の説明】
１０Ｒ、１０Ｌ  レンズ
１１Ｒ、１１Ｌ  内部カバー
１２Ｒ、１２Ｌ  照明ランプ
１５Ｒ、１５Ｌ  視標窓
２０  視標呈示部
２１  視標ディスク板
２２  パルスモータ
２４Ｒ、２４Ｌ  照明ランプ
３０  制御部
【図１】
0003649943.tif 000002
【図２】
0003649943.tif 000003
【図３】
0003649943.tif 000004
【図４】
0003649943.tif 000005
【図５】
0003649943.tif 000006
【図６】
0003649943.tif 000007
【図７】
0003649943.tif 000008